【事件の表示】
　特願２０００−２００７０３「ＰＯＳシステム」拒絶査定不服審判事件〔平成１４年　１月１５日出願公開、特開２００２−　１２３００〕について、次のとおり審決する。
【結　論】
　本件審判の請求は、成り立たない。
【理　由】
１.手続の経緯
　本願は、平成１２年７月３日に出願されたものであって、平成１５年１０月２１日付けで拒絶査定がなされ、これに対し、同年１１月２７日に拒絶査定に対する審判請求がなされるとともに、同年１２月２２日付けで手続補正がなされたものである。
　
２.平成１５年１２月２２日付け手続補正についての補正却下の決定
［補正却下の決定の結論］
　平成１５年１２月２２日付け手続補正を却下する。
［理由］
(2-1)補正後の本願発明
　本件補正により、特許請求の範囲の請求項１は、
「ＰＯＳ本体に複数台の屋外ポストを接続すると共に、複数台の給油機を接続し、各前記屋外ポストで複数台の前記給油機を制御するよう構成し、前記ＰＯＳ本体又は屋外ポストから前記給油機を介して該給油機に連動する計量機に給油量を指定し、給油開始後該計量機が給油量を計量し該指定給油量に達したら自動的に給油を停止し、該給油停止により売上伝票を発行するようにしたＰＯＳシステムにおいて、
　前記ＰＯＳ本体及び屋外ポストに、繰返し給油指定手段、定量給油指定手段、定額給油指定手段、計量機指定手段、繰返しスタート指定手段、指定数量指定手段及び指定金額指定手段を設け、
　繰返し給油の場合は前記繰返し給油指定手段での繰返しとその回数を指定すると共に、前記指定数量指定手段で一回当りの給油量を指定するか又は前記指定金額指定手段で一回当りの金額を指定し、前記計量機指定手段で任意の前記給油機に連動する計量機を指定することにより、初回の給油を開始し、前記一回当りの給油量又は金額に達したら給油を停止し、次回以降の給油は前記繰返しスタート指定手段を操作して給油を開始し、前記一回当りの給油量又は金額に達したら給油を停止するようにし、
　定量給油の場合は前記定量給油指定手段で定量を指定すると共に、前記指定数量指定手段で給油量を指定し、前記計量機指定手段で任意の前記給油機に連動する計量機を指定することにより、給油を開始し、前記指定数量指定手段で指定した給油量に達したら給油を停止するようにし、
　定額給油の場合は前記定額給油指定手段で定額を指定すると共に、前記指定金額指定手段で金額を指定し、前記計量機指定手段で任意の前記給油機に連動する計量機を指定することにより、給油を開始し、前記指定金額指定手段で指定した金額に達したら給油を停止するようにし、
　前記繰返し給油又は定量給油又は定額給油の給油終了後、全給油量を合計して一括して売上伝票を発行する処理手段を設けたことを特徴とするＰＯＳシステム。」と補正された。
　ここでの補正事項は、
　平成１５年５月１６日付け手続補正書により補正された請求項１の「前記ＰＯＳ本体及び屋外ポストに、繰返し給油指定手段、定量給油指定手段、定額給油指定手段、及び計量機指定手段を設け、
　前記繰返し給油指定手段で繰返し給油とその回数を設定し、前記定量給油指定手段で定量及びその数量を設定するか又は前記定額給油指定手段で定額及びその金額を設定し、前記計量機指定手段で任意の前記給油機に連動する計量機を指定することにより、該給油機はその計量機を介して設定された回数で設定された数量又は設定された回数で設定された金額に達するまで給油を行い、該設定回数の給油終了後」を
「前記ＰＯＳ本体及び屋外ポストに、繰返し給油指定手段、定量給油指定手段、定額給油指定手段、計量機指定手段、繰返しスタート指定手段、指定数量指定手段及び指定金額指定手段を設け、
　繰返し給油の場合は前記繰返し給油指定手段での繰返しとその回数を指定すると共に、前記指定数量指定手段で一回当りの給油量を指定するか又は前記指定金額指定手段で一回当りの金額を指定し、前記計量機指定手段で任意の前記給油機に連動する計量機を指定することにより、初回の給油を開始し、前記一回当りの給油量又は金額に達したら給油を停止し、次回以降の給油は前記繰返しスタート指定手段を操作して給油を開始し、前記一回当りの給油量又は金額に達したら給油を停止するようにし、
　定量給油の場合は前記定量給油指定手段で定量を指定すると共に、前記指定数量指定手段で給油量を指定し、前記計量機指定手段で任意の前記給油機に連動する計量機を指定することにより、給油を開始し、前記指定数量指定手段で指定した給油量に達したら給油を停止するようにし、
　定額給油の場合は前記定額給油指定手段で定額を指定すると共に、前記指定金額指定手段で金額を指定し、前記計量機指定手段で任意の前記給油機に連動する計量機を指定することにより、給油を開始し、前記指定金額指定手段で指定した金額に達したら給油を停止するようにし、
　前記繰返し給油又は定量給油又は定額給油の給油終了後」にするものであり、
　これは、請求項１に記載した発明を特定するために必要な事項である「繰返し給油」、「定量給油」、「定額給油」の構成をさらに具体的に限定するものであって、特許法第１７条の２第４項第２号の特許請求の範囲の減縮を目的にするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
(2-2)引用例の記載事項
(2-2-1)原査定の拒絶の理由に引用された、本願出願前頒布された特開平３−２８９４９４号公報（以下、「引用例１」という。）には、以下の記載がある。
(a)「このため、本発明の給油システムは、計量機と連動し、その給油量を数量もしくは金額のいずれかで指定することが可能な給油システムにおいて、給油量を数量もしくは金額で入力する手段と、給油開始前に入力された給油量を指示する数値を保持し、給油が開始されると、注油された量に応じて保持している数値を次第に減少させるカウンタと、給油開始後に、前記入力手段によって数値を変更することができる終了カウンタとを備え、前記カウンタの保持する数値が、終了カウンタの保持する数値と一致した時に、給油を強制的に終了させるようにしたことを特徴としている。」（公報第２頁左下欄第１から１２行）
(b)「第１Ａ図は、給油システムの概略構成図であり、マイクロプロセッサ（ＣＰＵ）やＲＡＭ、ＲＯＭ等から構成されたＰＯＳ本体１には、領収書発行のためのプリンタ３、ＣＲＴ等の表示器４、給油量等を入力するためのキーボード５、ガソリン単価等のデータを保存したフロッピーディスク装置８、磁気力−ドを読み取らせるためのカードリーダ７が接続されている。また、複数台の計量機８が、計量機制御部２を介してＰＯＳ本体１に接続されており、屋外に設置された複数台の外設端末器１０もＰＯＳ本体１に接続されている。
　外設端末器１０は、計量機８の近くで顧客に対する処理を行なうもので、ＰＯＳ本体１と同様な入出力機能を備えている。すなわち、第２図に示すように、カードリーダ１６や表示部１７を持ち、計量機選択ボタン１８、定量キー１９、定額キー２０、テンキー２１等のキー入力部を備え、定量キー１９を押してテンキー２１から数値を入力すると給油量の定量指定を行うことができ、定額キー２０を押してテンキー２１から数値を入力すると定額指定を行なうことができるようになっている。
　計量機制御部２は、計量機８の給油動作を制御するものであり」（公報第２頁右下欄第７行から同第３頁左上欄第１０行）
(c)「計量機選択ボタン１８で計量機８を選択し」（公報第３頁左上欄第２０行）
(d)「カウンタ１４の数値が終了カウンタ１５の数値に一致すると、計量機８にロックをかけ（Ｓ７１）、給油終了処理を行ない（Ｓ７２）、（カウンタ終了値）‐（カウンタ初期値）によって料金を計算して伝票を発行する（Ｓ７３）。」（公報第４頁右上欄第１２から１７行）
　上記(a)乃至(d)、第１Ａ図、第２図および第４図より、引用例１には、
「ＰＯＳ本体に複数台の外設端末器を接続すると共に、複数台の計量機を接続し、各前記外設端末器で複数台の前記計量機を制御するよう構成し、前記ＰＯＳ本体又は外設端末器から前記計量機に給油量を指定し、給油開始後該計量機が給油量を計量し該指定給油量に達したら自動的に給油を停止し、該給油停止により売上伝票を発行するようにしたＰＯＳシステムにおいて、
　前記ＰＯＳ本体及び外設端末器に、定量キー１９、定額キー２０、計量機選択ボタン１８、定量を入力するテンキー２１及び定額を入力するテンキー２１を設け、
　定量給油の場合は前記定量キー１９で定量を指定すると共に、前記テンキー２１で給油量を指定し、前記計量機選択ボタン１８で任意の前記計量機を指定することにより、給油を開始し、前記テンキー２１で指定した給油量に達したら給油を停止するようにし、
　定額給油の場合は前記定額キー２０で定額を指定すると共に、前記テンキー２１で金額を指定し、前記計量機選択ボタン１８で任意の前記計量機を指定することにより、給油を開始し、前記テンキー２１で指定した金額に達したら給油を停止するようにし、
　定量給油又は定額給油の給油終了後、売上伝票を発行するプリンタ３を設けたことを特徴とするＰＯＳシステム。」が開示されているものと認める。
　
(2-2-2)原査定の拒絶の理由に引用された、本願出願前頒布された特開昭５７−１６３６９７号公報（以下、「引用例２」という。）には、以下の記載がある。
(e)「第１図において、１は地上設置型給油装置のハウジングで、図示しないが地下貯油タンクからの油汲上管、ポンプ、流量計、流量パルス発信器、制御部等が内蔵され、前面パネル２には、合計給油量表示器３、プリセット給油量表示器４、プリセット回数表示器５、テンキー６、プリセット給油量指定キー７、プリセット回数指定キー８、リセットキー９、伝票送出口３０、スピーカ３１等が装備されている。なお以下の記述においてテンキー６および指定キー７、８を包括して置数器とよぶ。
　制御部の一例を示す第２図を参照して本発明の装置の動作を説明する。先ず、テンキー６と指定キー７、８を使用して１回の給油量と給油回数をプリセットする。例えば、１８リットルを３回給油する場合は、テンキー６のキー「１」「８」、給油量指定キー７、テンキーのキー「３」、給油回数指定キー８を続けて押すと、表示器４と５に第１図に示すような表示が現われる。」（公報第１頁右下欄第３行から同第２頁左上欄第１行）
(f)「記憶回路１２の内容（１回のプリセット給油量例えば１８リットルとプリセット給油回数例えば３回）と計数回路１５の計数値（１８×３＝５４リットル）、および別途設定された情報例えば日付、油種などをプリンタ２８にプリントさせる。」（公報第３頁右上欄第１２から１７行）
(g)「上記実施例では給油量をプリセットするようにしているが給油金額をプリセットし、この金額分をプリセット回数だけ繰返えし給油するように構成することももちろんできる。」（公報第４頁左上欄第８から１１行）
(h)「給油再開用スイッチなどの特別な手段を付設してこれを操作する必要がなく」（公報第４頁左上欄第１５から１６行）
　上記(e)乃至(h)より、引用例２には、
(ア)定量給油において、繰返しおよびその回数を指定する「給油回数指定キーおよびテンキー（繰返し給油指定手段）」と、給油を再開する「給油再開用スイッチ（繰返しスタート指定手段）」を設け、１回当たりの給油量（指定数量）を「テンキー（指定数量指定手段）」より入力して、繰返しが１回のみである定量給油（繰返さない定量給油）とは別に、繰返しが２回以上である定量給油（繰返しの定量給油）も行なうこと、
(イ)定量給油と同様の定額給油を行う、具体的には、
　定額給油において、繰返しおよびその回数を指定する「給油回数指定キーおよびテンキー（繰返し給油指定手段）」と、給油を再開する「給油再開用スイッチ（繰返しスタート指定手段）」を設け、１回当たりの給油金額（指定金額）を「テンキー（指定金額指定手段）」より入力して、繰返しが１回のみである定額給油（繰返さない定額給油）とは別に、繰返しが２回以上である定額給油（繰返しの定額給油）も行なうこと、
(ウ)売上伝票の発行において、全給油量を合計して一括して発行すること、
　の開示があるものと認める。
　
(2-3)対比
　本願補正発明と引用例１記載の発明とを対比する。
　後者の「外設端末器」、「定量キー１９」、「定額キー２０」、「計量機選択ボタン１８」、「定量を入力するテンキー２１」、「定額を入力するテンキー２１」、「売上伝票を発行するプリンタ３」は、前者の「屋外ポスト」、「定量給油指定手段」、「定額給油指定手段」、「計量機指定手段」、「指定数量指定手段」、「指定金額指定手段」、「売上伝票を発行する処理手段」のそれぞれに相当している。
　また、後者の「計量機」は、上記(2-2-1)(b)の「・・・計量機制御部２は、計量機８の給油動作を制御する・・・」との記載より、給油動作も行うものであることから、実質的に「給油機に連動する計量機」であると認められ、そうであるから、後者の「複数台の計量機を接続し、各外設端末器（屋外ポスト）で複数台の計量機を制御するよう構成し、ＰＯＳ本体又は外設端末器（屋外ポスト）から計量機に給油量を指定し」は、「複数台の給油機を接続し、各屋外ポストで複数台の給油機を制御するよう構成し、ＰＯＳ本体又は屋外ポストから給油機を介して該給油機に連動する計量機に給油量を指定し」であると捉えることができるので、前者の「複数台の給油機を接続し、各屋外ポストで複数台の給油機を制御するよう構成し、ＰＯＳ本体又は屋外ポストから給油機を介して該給油機に連動する計量機に給油量を指定し」に相当する。
　上記より、両者は、
「ＰＯＳ本体に複数台の屋外ポストを接続すると共に、複数台の給油機を接続し、各前記屋外ポストで複数台の前記給油機を制御するよう構成し、前記ＰＯＳ本体又は屋外ポストから前記給油機を介して該給油機に連動する計量機に給油量を指定し、給油開始後該計量機が給油量を計量し該指定給油量に達したら自動的に給油を停止し、該給油停止により売上伝票を発行するようにしたＰＯＳシステムにおいて、
　前記ＰＯＳ本体及び屋外ポストに、定量給油指定手段、定額給油指定手段、計量機指定手段、指定数量指定手段及び指定金額指定手段を設け、
　定量給油の場合は前記定量給油指定手段で定量を指定すると共に、前記指定数量指定手段で給油量を指定し、前記計量機指定手段で任意の前記給油機に連動する計量機を指定することにより、給油を開始し、前記指定数量指定手段で指定した給油量に達したら給油を停止するようにし、
　定額給油の場合は前記定額給油指定手段で定額を指定すると共に、前記指定金額指定手段で金額を指定し、前記計量機指定手段で任意の前記給油機に連動する計量機を指定することにより、給油を開始し、前記指定金額指定手段で指定した金額に達したら給油を停止するようにし、
　定量給油又は定額給油の給油終了後、売上伝票を発行する処理手段を設けたことを特徴とするＰＯＳシステム。」という点で一致し、以下の点で相違しているものと認める。
　
○前者では、定量給油において、繰返しおよびその回数を指定する「繰返し給油指定手段」と、給油を再開する「繰返しスタート指定手段」を設け、一回当たりの指定数量を「指定数量指定手段」より入力して、繰返さない定量給油とは別に、繰返しの定量給油も行なうのに対して、後者には、定量給油において、指定数量を「指定数量指定手段」より入力して、繰返さない定量給油のみを行うことの記載はあるものの、繰返しの定量給油を行うことの記載がない点。（以下、「相違点１」という。）
○前者では、定額給油において、繰返しおよびその回数を指定する「繰返し給油指定手段」と、給油を再開する「繰返しスタート指定手段」を設け、一回当たりの指定金額を「指定金額指定手段」より入力して、繰返さない定額給油とは別に、繰返しの定額給油も行なうのに対して、後者には、定額給油において、指定金額を「指定金額指定手段」より入力して、繰返さない定額給油のみを行うことの記載はあるものの、繰り返しの定額給油を行うことの記載がない点。（以下、「相違点２」という。）
○前者では、売上伝票の発行において、全給油量を合計して一括して発行しているのに対して、後者には、売上伝票を発行することの記載はあるものの、上記事項の記載がない点。（以下、「相違点３」という。）
　
　上記各相違点について検討する。
○相違点１について。
　引用例２には、上記(2-2-2)(ア)で示したように、定量給油において、繰返しおよびその回数を指定する「給油回数指定キーおよびテンキー（繰返し給油指定手段）」と、給油を再開する「給油再開用スイッチ（繰返しスタート指定手段）」を設け、１回当たりの給油量（指定数量）を「テンキー（指定数量指定手段）」より入力して、繰返しが１回のみである定量給油（繰返さない定量給油）とは別に、繰返しが２回以上である定量給油（繰返しの定量給油）も行なうことの開示があることから、
　引用例１記載の発明の「定量給油」においても、指定数量を「指定数量指定手段」より入力して、繰返さない定量給油のみを行うことに代えて、繰返しおよびその回数を指定する「給油回数指定キーおよびテンキー（繰返し給油指定手段）」と、給油を再開する「給油再開用スイッチ（繰返しスタート指定手段）」を設け、１回当たりの給油量（指定数量）を「テンキー（指定数量指定手段）」より入力して、繰返しが１回のみである定量給油（繰返さない定量給油）とは別に、繰返しが２回以上である定量給油（繰返しの定量給油）も行なう、即ち、相違点１で示した本願補正発明の上記事項を構成することに格別の困難性があるとはいえない。
○相違点２について
　引用例２には、上記(2-2-2)(イ)で示したように、定額給油において、繰返しおよびその回数を指定する「給油回数指定キーおよびテンキー（繰返し給油指定手段）」と、給油を再開する「給油再開用スイッチ（繰返しスタート指定手段）」を設け、１回当たりの金額（指定金額）を「テンキー（指定金額指定手段）」より入力して、繰返しが１回のみである定額給油（繰返さない定額給油）とは別に、繰返しが２回以上である定額給油（繰返しの定額給油）も行なうことの開示があることから、
　引用例１記載の発明の「定額給油」においても、指定金額を「指定金額指定手段」より入力して、繰返さない定額給油のみを行うことに代えて、繰返しおよびその回数を指定する「給油回数指定キーおよびテンキー（繰返し給油指定手段）」と、給油を再開する「給油再開用スイッチ（繰返しスタート指定手段）」を設け、１回当たりの金額（指定金額）を「テンキー（指定金額指定手段）」より入力して、繰返しが１回のみである定額給油（繰返さない定額給油）とは別に、繰返しが２回以上である定額給油（繰返しの定額給油）も行なう、即ち、相違点２で示した本願補正発明の上記事項を構成することに格別の困難性があるとはいえない。
○相違点３について
　引用例２には、上記(2-2-2)(ウ)で示したように、売上伝票の発行において、全給油量を合計して一括して発行することの開示があることから、
　引用例１記載の発明の「売上伝票の発行」においても、全給油量を合計して一括して発行する、即ち、相違点３で示した本願補正発明の上記事項を構成することに格別の困難性があるとはいえない。
　
　したがって、本願補正発明は、引用例１、２記載の発明に基づいて当業者が容易に発明をすることができたものであるから、特許法第２９条第２項の規定により特許出願の際独立して特許を受けることができないものである。　
　
(2-4)むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３.本願発明について
　平成１５年１２月２２日付け手続補正は上記のとおり却下され、また、平成１５年１０月２日付け手続補正は同年１０月２１日付け補正の却下の決定により却下されているので、本願の請求項１に係る発明（以下、「本願発明」という。）は、平成１５年５月１６日付け手続補正書の請求項１に記載された以下のとおりのものである。
「ＰＯＳ本体に複数台の屋外ポストを接続すると共に、複数台の給油機を接続し、各前記屋外ポストで複数台の前記給油機を制御するように構成し、前記ＰＯＳ本体又は屋外ポストから前記給油機を介して該給油機に連動する計量機に給油量を指定し、給油開始後該計量機が給油量を計量し該指定給油量に達したら自動的に給油を停止し、該給油停止により売上伝票を発行するようにしたＰＯＳシステムにおいて、
　前記ＰＯＳ本体及び屋外ポストに、繰返し給油指定手段、定量給油指定手段、定額給油指定手段、及び計量機指定手段を設け、前記繰返し給油指定手段で繰返し給油とその回数を設定し、前記定量給油指定手段で定量及びその数量を設定するか又は前記定額給油指定手段で定額及びその金額を設定し、前記計量機指定手段で任意の前記給油機に連動する計量機を指定することにより、該給油機はその計量機を介して設定された回数で設定された数量又は設定された回数で設定された金額に達するまで給油を行い、該設定回数の給油終了後、全給油量を合計して一括して売上伝票を発行する処理手段を設けたことを特徴とするＰＯＳシステム。」
　
(3-1)引用例の記載事項
　原査定で引用された引用例、および、その記載事項は、上記(2-2)に記載したとおりである。
(3-2)対比・判断
　上記(2-3)を考慮した上で、本願発明と引用例１記載の発明とを対比すると、以下の点で相違しているものと認める。
○前者では、定量給油において、繰返しおよびその回数を設定する「繰返し給油指定手段」と、定量およびその数量を設定する「定量給油指定手段」を設け、繰返しの定量給油を行なうのに対して、後者には、定量給油において、定量およびその数量を設定する「定量キーおよびテンキー（定量給油指定手段）」を設け、繰返さない定量給油のみを行うことの記載はあるものの、繰返しの定量給油を行うことの記載がない点。（以下、「相違点Ａ」という。）
○前者では、定額給油において、繰返しおよびその回数を設定する「繰返し給油指定手段」と、定額およびその金額を設定する「定額給油指定手段」を設け、繰返しの定額給油を行なうのに対して、後者には、定額給油において、定額およびその金額を設定する「定額キーおよびテンキー（定額給油指定手段）」を設け、繰返さない定額給油のみを行うことの記載はあるものの、繰返しの定額給油を行うことの記載がない点。（以下、「相違点Ｂ」という。）
○前者では、売上伝票の発行において、全給油量を合計して一括して発行しているのに対して、後者には、売上伝票を発行することの記載がない点。（以下、「相違点Ｃ」という。）
　
　上記各相違点について検討する。
　上記(2-2-2)の(e)乃至(h)より、引用例２には、
(カ)定量給油において、繰返しおよびその回数を設定する「給油回数指定キーおよびテンキー（繰返し給油指定手段）」と、定量およびその数量を設定する「プリセット給油量設定キーおよびテンキー（定量給油指定手段）」を設け、繰返しの定量給油を行なうこと、
(キ)定量給油と同様の定額給油を行う、具体的には、
   定額給油において、繰返しおよびその回数を設定する「給油回数指定キーおよびテンキー（繰返し給油指定手段）」と、定額およびその金額を設定する「プリセット給油金額設定キーおよびテンキー（定額給油指定手段）」を設け、繰返しの定額給油を行なうこと
(ク)売上伝票の発行において、全給油量を合計して一括して発行すること、
　の開示があるものと認める。
○相違点Ａについて
　引用例２には、上記(カ)で示したように、定量給油において、繰返しおよびその回数を設定する「給油回数指定キーおよびテンキー（繰返し給油指定手段）」と、定量およびその数量を設定する「プリセット給油量設定キーおよびテンキー（定量給油指定手段）」を設け、繰返しの定量給油を行なうことの開示があることから、
　引用例１記載の発明の「定量給油」においても、定量およびその数量を設定する「定量キーおよびテンキー（定量給油指定手段）」を設け、繰返さない定量給油のみを行うことに代えて、繰返しおよびその回数を設定する「給油回数指定キーおよびテンキー（繰返し給油指定手段）」と、定量およびその数量を設定する「プリセット給油量設定キーおよびテンキー（定量給油指定手段）」を設け、繰返しの定量給油を行なう、即ち、相違点Ａで示した本願発明の上記事項を構成することに格別の困難性があるとはいえない。
○相違点Ｂについて
  引用例２には、上記(キ)で示したように、定額給油において、繰返しおよびその回数を設定する「給油回数指定キーおよびテンキー（繰返し給油指定手段）」と、定額およびその金額を設定する「プリセット給油金額設定キーおよびテンキー（定額給油指定手段）」を設け、繰返しの定額給油を行なうことの開示があることから、
　引用例１記載の発明の「定額給油」においても、定額およびその金額を設定する「定額キーおよびテンキー（定額給油指定手段）」を設け、繰返さない定額給油のみを行うことに代えて、繰返しおよびその回数を設定する「給油回数指定キーおよびテンキー（繰返し給油指定手段）」と、定額およびその金額を設定する「プリセット給油金額設定キーおよびテンキー（定額給油指定手段）」を設け、繰返しの定額給油を行なう、即ち、相違点Ｂで示した本願発明の上記事項を構成することに格別の困難性があるとはいえない。
○相違点Ｃについて
　引用例２には、上記(ク)で示したように、売上伝票の発行において、全給油量を合計して一括して発行することの開示があることから、
　引用例１記載の発明の「売上伝票の発行」においても、全給油量を合計して一括して発行する、即ち、相違点Ｃで示した本願発明の上記事項を構成することに格別の困難性があるとはいえない。
　
　したがって、本願発明は、引用例１、２記載の発明に基づいて当業者が容易に発明をすることができたものである。　
　
(3-3)むすび
　以上のとおり、本願発明は、引用例１、２記載の発明に基づいて当業者が容易に発明をすることができたものであるから、特許法第２９条第２項の規定により特許を受けることができない。
　それゆえ、本願は、拒絶すべきものである。
　よって、結論のとおり審決する。